(57)【特許請求の範囲】
【請求項１】
ビータが取り付けられた回動軸を枢支する支柱部材と、
前記回動軸とフットボードを連結する連結部材と、
前記回動軸の一端に設けたアーム部と、
前記アーム部に取り付けられて前記フットボードに復帰習性を付与するコイルスプリングと、
前記コイルスプリングと前記支柱部材との間に設けられて前記コイルスプリングの張力を調節する張力調節機構と、を備え、
前記張力調節機構は、
前記支柱部材に支持され、その支持位置より上側の位置で、前記コイルスプリングの下端と接続すると共に当該接続の位置を調整する接続位置調整部を備え、
前記接続位置調整部は、
前記支柱部材に対して回動自在に支持された調節用ボルトと、
前記コイルスプリングの下端が接続されると共に前記調節用ボルトに組み付けられた接続部材と、
前記調節用ボルトにおける前記接続部材の上側の位置に螺合する調節用ナットと、を備える
ことを特徴とするドラム用フットペダル装置。
【請求項２】
前記接続位置調整部は、前記調節用ボルトに対する前記接続部材の位置ずれを防止するための位置ずれ防止機構を有する
ことを特徴とする請求項１に記載のドラム用フットペダル装置。
【請求項３】
前記位置ずれ防止機構は、前記調節用ナットと該調節用ナットに当接する部材とのいずれか一方に設けた突起部と、いずれか他方に設けた溝部とを備え、
前記調節用ナットが所定の回転位置にあるときに前記突起部が前記溝部に嵌ることで前記調節用ナットの回転及び前記接続部材の位置ずれを防止する機構である
ことを特徴とする請求項２に記載のドラム用フットペダル装置。
【請求項４】
前記位置ずれ防止機構は、前記調節用ボルトの軸方向において前記接続部材に対して前記調節用ナットと反対側に設けた保持ナットを備え、
前記接続部材を前記調節用ナットと前記保持ナットとで挟持することで該接続部材の位置ずれを防止する機構である
ことを特徴とする請求項２に記載のドラム用フットペダル装置。
【請求項５】
前記調節用ボルトと前記支柱部材との間に設けた支点部を備え、
前記アーム部の揺動による前記コイルスプリングの伸縮に伴い、前記調節用ボルトが前記支点部を支点として揺動するように構成した
ことを特徴とする請求項１乃至４のいずれか１項に記載のドラム用フットペダル装置。
【発明の詳細な説明】
【技術分野】
【０００１】
本発明は、フットボードの踏込操作によってビータを回動させて該ビータでドラムを打撃して発音させるドラム用フットペダル装置に関する。
【背景技術】
【０００２】
フットボードを踏み込むことによりビータを回動させて、該ビータのビータヘッドでドラムヘッドを打撃して発音させるドラム用フットペダル装置がある。従来のドラム用フットペダル装置は、例えば特許文献１に示すように、ビータが取り付けられた回転軸と、この回転軸を枢支する左右一対の支柱と、フットペダルの先端と回転軸とを連結するチェーンなどの伝達部材とを備えている。そして、回転軸の一端または両端にはフットボードに初期位置への復帰習性を付与するためのコイルスプリングが連結されている。コイルスプリングは、その上端がクランクアームに回転自在に軸支されたローラーにリンク部材を介して掛け止めされ、その下端が調節用ネジの通孔に掛け止めされて連結されている。
【０００３】
さらに、調節用ネジの位置を調節する張力調節機構が設けられている。この張力調節機構は、例えば特許文献１の図６に示すように、調節用ネジをその回転により取付部材に対して上下動させる調節用ナットと、調節用ナットの緩みを防止するためのロック用ナットとで構成されている。そして、調節用ナットを回転させることにより調節用ネジが上下動することで、コイルスプリングの張力の調節が可能となる。
【０００４】
つまり、これらのようなコイルスプリングによる張力の調整機構は、ボルトの下端側に位置するナットを操作することで張力の調整を行っている。例えば、上記特許文献１では、その段落００１４で説明するように、ナットの大径部を指で摘んで回転させると、調節ねじがナットのねじ孔に沿って回転方向に対応して上方もしくは下方に移動することで、スプリングの張力を調整することができる。また、特許文献２では、ブラケットの下に位置する調整ネジを回転させることで、張力を調整している。
【０００５】
上記構成のドラム用フットペダル装置でドラムの演奏を行う場合は、フットボードを踏み込むことで伝達部材により回転軸が回転し、これによりビータがドラムヘッドに向かって転動する。これに伴いクランクアームもその先端が回転しながら上昇するため、ローラーに掛け止めされているコイルスプリングが引き伸ばされ、その張力による負荷が増加する。
【先行技術文献】
【特許文献】
【０００６】
【特許文献１】特許第２８０６３０１号公報
【特許文献２】特許第３５８４８９８号公報
【発明の概要】
【発明が解決しようとする課題】
【０００７】
これらのフットペダル装置に用いられたコイルスプリングによる張力の調整機構は、上述のように、ボルトの下端側に位置するナットを操作することで張力を調整するので、ペダルを床に置いたままの状態では操作するときにボルト、クランクアームやコイルスプリング等が邪魔になり、操作がしにくい。ペダルを倒して操作することもできるが、ドラムから外す作業が必要になったりするため、特にツインペダルの構造のものではそれも行い難い。
【０００８】
また、このようなフットペダル装置が備えるコイルスプリングの支持構造の従来例として、コイルスプリングの下端が金属のロッドの先端に係合している構成がある。しかしながら、コイルスプリングの下端が金属ロッドの先端に係合している構成では、その係合部分で金属同士が摺動することによって摩耗が生じることで装置の耐久性が低下したり、摺動による雑音が発生することで演奏上の不具合が発生するおそれがある。
【０００９】
そこで、上記の不具合を解消するための対策として、コイルスプリングの下端の保持部分に回転構造を設けることで、コイルスプリングの伸縮に伴う揺れの際に金属同士の摺動を低減し、かつ調節用ネジに過度の力がかかることを防止するものがある。しかしながら、コイルスプリングの下端に回転構造を設けたものは、部品点数が多く構造が複雑であるため、その分、フットペダル装置の製造コストが嵩むという問題がある。
【００１０】
本発明は上述の点に鑑みてなされたものであり、その目的は、スプリングの支持位置よりも上側の（高い）位置で、張力調節の操作を行えるようにすることで、張力調整の操作がしやすいドラム用フットペダル装置を提供することにある。
【課題を解決するための手段】
【００１１】
上記課題を解決するため、本発明にかかるドラム用フットペダル装置は、ビータ（２）が取り付けられた回動軸（３５）を枢支する支柱部材（２１,２２）と、回動軸（３５）とフットボード（５０）を連結する連結部材（５５）と、回動軸（３５）の一端に設けたアーム部（３８）と、アーム部（３８）に取り付けられてフットボード（５０）に復帰習性を付与するコイルスプリング（６０）と、コイルスプリング（６０）と支柱部材（２１,２２）との間に設けられてコイルスプリング（６０）の張力を調節する張力調節機構（１００）と、を備え、張力調節機構（１００）は、支柱部材（２１,２２）に支持され、その支持位置より上側の位置で、コイルスプリング（６０）の下端と接続すると共に当該接続の位置を調整する接続位置調整部（７０，９０）を備え、接続位置調整部（７０，９０）は、支柱部材（２１,２２）に対して回動自在に支持された調節用ボルト（６５）と、コイルスプリング（６０）の下端が接続されると共に調節用ボルト（６５）に組み付けられた接続部材（９０）と、調節用ボルト（６５）における接続部材（９０）の上側の位置に螺合する調節用ナット（７０）と、を備えることを特徴とする。
【００１２】
本発明にかかるドラム用フットペダル装置によれば、接続位置調整部が支柱部材に対する支持位置より上側の位置でコイルスプリングの下端と調節用ボルトとを接続し、当該接続の位置を支持位置より上側の位置で調整するようにしたことで、スプリングの支持位置よりも上（高い）位置で張力調節の操作が行えるようになり、張力調整の操作が行い易くなるという効果を有する。したがって、従来構成における支持部の下側（支柱部材に対する回動中心より下側）に配置した操作用の部材を操作する場合と比較して、ドラムの演奏者によるフットボードの復帰習性の調整作業が非常に行い易くなる。
【００１３】
また、調整ボルトを回動可能なものとしたので、コイルスプリングの下端に回転構造を設けた従来技術と比較して、部品点数が少なく簡単かつ安価な構成でありながら、コイルスプリングをスムーズかつ確実に揺動させることができるので、フットボードの良好な動作及び操作性を確保することが可能となる。
【００１５】
また、調節用ナットを操作することで調節用ボルトに対する接続部材の組付位置を調節することができるので、簡単な作業でコイルスプリングと調節用ボルトとの接続位置の調節を行うことができる。特に、接続位置調整部を調節用ボルトの支柱部材に対する支持位置より上側に配置し、かつ調節用ナットを接続部材の上側に配置していることで、フットボードの復帰習性の調整作業を上方からの調節用ナットの操作で行えるようになるので、ドラムの演奏者によるフットボードの復帰習性の調整作業が尚更行い易くなる。
【００１６】
また、上記のドラム用フットペダル装置の接続部材（９０）は、調節用ボルト（６５）の外周に組み付けられる環状の本体部（９１）と、本体部（９１）の外側面に設けられてコイルスプリング（６０）の下端に設けたフック（６０ｂ）を係合させてなる係合部（９３）とを有していてよい。
【００１７】
この構成によれば、部品点数を少なく抑えた簡単な構成で、コイルスプリングと接続用ボルトとの接続位置を所望の位置に容易に調節することが可能な接続位置調整部を実現することができる。
【００１８】
また、上記のドラム用フットペダル装置の接続位置調整部（７０，９０）は、調節用ボルト（６５）に対する接続部材（９０）の位置ずれを防止するための位置ずれ防止機構（９５）を有してもよい。
【００１９】
またこの場合、位置ずれ防止機構（９５）は、調節用ナット（７０）と該調節用ナット（７０）に当接する部材（７５）とのいずれか一方に設けた突起部（７１）と、いずれか他方に設けた溝部（８２）とを備え、調節用ナット（７０）が所定の回転位置にあるときに突起部（７１）が溝部（８２）に嵌ることで調節用ナット（７０）の回転及び接続部材（９０）の位置ずれを防止する機構であってよい。
【００２０】
この構成によれば、部品点数を少なく抑えた簡単な構成で、調節用ナットの回転を防止して、軸方向における接続部材の位置ずれを効果的に防止することができる。また、調節用ナットが所定の回転位置にあるときに突起部が溝部に嵌るように構成したことで、突起部が溝部に嵌る位置まで調節用ナットを回転させる操作を行うだけで、接続部材の位置ずれを防止することが可能となる。
【００２１】
また、上記の位置ずれ防止機構（９５）の他の態様として、調節用ボルト（６５）の軸方向において接続部材（９０）に対して調節用ナット（７０）と反対側に設けた保持ナット（８５）を備え、接続部材（９０）を調節用ナット（７０）と保持ナット（８５）とで挟持することで該接続部材（９０）の位置ずれを防止する機構を設けてもよい。
【００２２】
この構成によれば、接続部材が調節用ナットと保持ナットとで挟持されるように構成したことで、簡単な構成でありながら接続部材の位置ずれを効果的に防止することができる。
【００２３】
また、上記のドラム用フットペダル装置は、調節用ボルト（６５）と支柱部材（２１）との間に設けた支点部（９７）を備え、アーム部（３８）の揺動によるコイルスプリング（６０）の伸縮に伴い、調節用ボルト（６５）が支点部（９７）を支点として揺動するように構成してもよい。
【００２４】
この構成によれば、フットボードの踏込操作によってコイルスプリングが伸縮する際に支点部を支点としてコイルスプリングと調節用ボルトが支柱部材に対して一体的に揺動するようになる。これにより、コイルスプリングの伸縮に伴う部材の摺動が効果的に低減される。したがって、部材の磨耗を抑制することができると共に、フットボードやコイルスプリングの良好な動作を確保できる。また、フットボードの踏込操作に伴うきしみ音など雑音の発生を効果的に防止することができる。
【００２５】
なお、上記の括弧内の符号は、後述する実施形態における構成要素の符号を本発明の一例として示したものである。
【発明の効果】
【００２６】
本発明にかかるドラム用フットペダル装置によれば、コイルスプリングと調節用ボルト又は支持部材との接続位置よりも上側の位置での操作によってコイルスプリングの張力を調整できるので、張力調整の操作が行いやすくなる。
【図面の簡単な説明】
【００２７】
【図１】本発明の一実施形態にかかるドラム用フットペダル装置の全体構成を示す側面図である。
【図２】ドラム用フットペダル装置の正面図である。
【図３】図２のＡ矢視を示す図である。
【図４】図３のＢ部分の拡大図である。
【図５】張力調節機構の構成部品を示す分解側断面図である。
【図６】調節用ナットを示す斜視図である。
【図７】スライドブッシュを示す図である。
【図８】支持部を示す図である。
【図９】本発明の第２実施形態にかかる張力調節機構を示す図である。
【図１０】第２実施形態にかかる張力調節機構の構成部品を示す分解側断面図である。
【図１１】本発明の第３実施形態にかかる張力調節機構を示す図である。
【図１２】第３実施形態にかかる張力調節機構の構成部品を示す分解側断面図である。
【図１３】本発明の第４実施形態にかかる張力調節機構を示す図である。
【発明を実施するための形態】
【００２８】
以下、添付図面を参照して本発明の実施形態を詳細に説明する。図１は、本発明の一実施形態にかかるドラム用フットペダル装置の全体構成を示す側面図、図２は、ドラム用フットペダル装置の正面図、図３は、図２のＡ矢視を示す図、図４は、図３のＢ部分の拡大図である。
【００２９】
図１及び図２に示すフットペダル装置１は、設置場所の床面（設置面）に載置されるフレーム部１０を備えている。フレーム部１０は、基部２０と、基部２０の上部に立設された左右一対の支柱部材２１，２２と、基部２０の後方にベース部材２５を介して連結されたヒール部材３０とを備えて構成されている。基部２０の前端にはバスドラムＢのフープＲを挾持するクランプ金具２６と、このクランプ金具２６をフープＲに押し付けるフープ固定ねじ２７が取り付けられている。フープ固定ねじ２７を締め込むことにより、クランプ金具２６が基部２０の前端部２０ａと共にバスドラムＢのフープＲを挟み込み、フットペダル装置１をバスドラムＢに固定する。
【００３０】
左右一対の支柱部材２１，２２の上端部には回動軸３５が枢支されている。回動軸３５の軸方向の中央部にはロッカ３６が取り付けられ、両端部は支柱部材２１,２２の上端部に組み込まれた軸受４１，４２によって軸支されている。ロッカ３６には、バスドラムＢのドラムヘッドＨを打撃するビータヘッド２がビータロッド３を介して取り付けられるとともに、フットボード５０の踏込力をビータヘッド２に伝達する連結部材５５の上端が固定されている。ビータロッド３の根元部は、ロッカ３６に設けられた通孔３６ａに摺動自在に嵌挿され、かつボルト３７によって固定されている。ボルト３７を緩めてビータロッド３の長さを調整すると、ビータヘッド２によるドラムヘッドＨの打面高さを変えることができる。連結部材５５として、本実施形態では金属製のチェーンを用いた例を示したが、これ以外にも皮革または合成樹脂製のバンド等を用いてもよい。また、チェーンやベルトによるドライブ機構に限らず、リンク機構によるドライブ機構を用いてもよい。ドライブ機構については、他の実施形態あるいは変形例においても同様である。
【００３１】
フットボード５０は、足を載せるに十分な大きさの平板によって形成され、前端部５０ａが連結部材５５の下端部に連結され、後端部５０ｂがヒール部材３０に回転軸３０ａを介して上下方向に回動自在に連結されている。
【００３２】
また、フットボード５０は、コイルスプリング６０の付勢力で図１において反時計回り方向の復帰習性が付与されている。コイルスプリング６０は、一方の支柱部材２１の外側面に沿って配設されており、上フック６０ａが回動軸３５の一端に設けたアーム部３８に取り付けられ、下フック６０ｂが支柱部材２１の下端部の近傍に突設された支持部２３に張力調節機構１００を介して連結されている。
【００３３】
図５は、張力調節機構１００の構成部品を示す分解側断面図である。張力調節機構１００は、調節用ボルト６５（又はコイルスプリング６０と支持部２３）との接続位置を調整する接続位置調整部を備える。この接続位置調整部は、支持部２３の上側に設けられて、その一部（具体的には後述するコネクションリング９０）の部品がコイルスプリング６０の下端と接続されている。
【００３４】
接続位置調整部は、構成部品として、支柱部材２１に設けた支持部２３に支持された（揺動可能に支持された）調節用ボルト６５と、コイルスプリング６０の下フック６０ｂが接続されていると共にスライドブッシュ（ブッシュ部材）７５を介して調節用ボルト６５に組み付けられたコネクションリング（接続部材）９０と、調節用ボルト６５に螺合して該調節用ボルト６５に対するコネクションリング９０の組付位置（軸方向の位置）を調節する調節用ナット７０とを備えて構成されている。
【００３５】
調節用ボルト６５は、外周面にネジが形成された金属製の棒状部材である。また、調節用ボルト６５の下端の側面には径方向の両外側に突出する小径円柱軸状のピン６６が形成されている。このピン６６が支持部２３の受け部２３ｆに当接することで、これらピン６６と受け部２３ｆとで当接部（支点部）９７が構成されている。そして、後述するように、コイルスプリング６０の伸縮に伴い調節用ボルト６５及び調節用ナット７０が当接部９７を支点としてフットボード５０の前後方向に揺動するようになっている。
【００３６】
図６は、調節用ナット７０を示す斜視図である。調節用ナット７０は、略円柱状の部材でその軸心に調節用ボルト６５を螺合させる貫通孔からなるネジ孔７０ｄが形成されている。また、外周面の下側は円周状に括れた括れ部７０ｅになっており、その上側には、手で調節用ナット７０を回すときの滑りを防止するための凹凸からなる操作部７０ｆが形成されている。また、調節用ナット７０の下面（端面）７０ａは平面状に形成されており、該下面７０ａのネジ孔７０ｄの周囲には突起部７１が形成されている。突起部７１はネジ孔７０ｄの周囲に等間隔（９０度間隔）で配置した４個の突起７１ａからなり、各突起７１ａはネジ孔７０ｄを中心とする十字型に形成されている。この突起部７１が後述するスライドブッシュ７５（基部７６）の上面７６ｂに形成した溝部８２に嵌合するようになっている。
【００３７】
図７は、スライドブッシュ７５を示す図で、（ａ）は側面図、（ｂ）は平面図、（ｃ）は下面図である。スライドブッシュ７５は、合成樹脂製の一体成型品で、略平板状の基部７６と、基部７６の下部に一体形成された柱状の軸部７７とからなる。基部７６は、外形が調節用ナット７０の外形に沿う略円形状に形成された薄板状の部分である。軸部７７は、基部７６から下端部７８にかけて略円柱状に形成された部分である。またこのスライドブッシュ７５の軸心には、基部７６の上面７６ｂから軸部７７を通って下端部７８に貫通する貫通孔８０が形成されている。このスライドブッシュ７５は、調節用ボルト６５に対して軸方向にスライド移動自在に組み付けられる。
【００３８】
また、スライドブッシュ７５の基部７６の上面７６ｂには、貫通孔８０を中心とする十字型の窪みからなる溝部８２が形成されている。溝部８２は、貫通孔８０から９０度間隔で放射状に形成された４本の溝８２ａを有している。４本の溝８２ａはいずれも基部７６の外周縁まで延びており、それぞれに調節用ナット７０の下面７０ａに形成した４個の突起部７１ａが嵌合するようになっている。
【００３９】
すなわち、上記の調節用ナット７０の突起部７１（７１ａ）とスライドブッシュ７５の溝部８２（８２ａ）とで調節用ナット７０の回転（緩み）を防止してコネクションリング９０の軸方向の位置ずれを防止するための位置ずれ防止機構９５が構成されている。この位置ずれ防止機構９５によって、調節用ナット７０が所定の回転角度位置（９０度ごとの位置）にあるときに突起部７１が溝部８２に係合してその緩みが防止されることでコネクションリング９０の軸方向の位置ずれが防止される。
【００４０】
コネクションリング（接続部材）９０は、中央に円形の貫通孔９２が形成されて調節用ボルト６５の外周に設置された略円環状の本体部９１と、本体部９１の外側面に形成した薄板状の突起からなるフランジ部９４と、フランジ部９４に形成された係合孔（係合部）９３とを有する。係合孔９３にコイルスプリング６０の下フック６０ｂが係合している。
【００４１】
図８は、支持部２３を示す図で、（ａ）は、下面図、（ｂ）は、（ａ）のＢ−Ｂ断面図、（ｃ）は、（ａ）のＣ−Ｃ断面図、（ｄ）は、下面側から見た斜視図である。支持部２３は、支柱部材２１の側面から外側に向かってフットペダル装置１の設置面と平行に突出する部分からなり、外形が長方形状に形成された略平板状の部分である。支持部２３の下面２３ｂには、支持部２３の前後方向に貫通するコ字型の窪みからなる凹部２３ｄが形成されており、該凹部２３ｄの底面には支持部２３の上下に貫通する貫通孔からなる開口部（連通部）２３ｃが形成されている。開口部２３ｃは略正方形状に形成されている。凹部２３ｄの底面における開口部２３ｃの側部には、調節用ボルト６５のピン６６が当接する受け部２３ｆが設けられている。受け部２３ｆは、開口部２３ｃの左右両側それぞれに形成されており、凹部２３ｄの底面（上底面）を湾曲面状に窪ませてなる部分として形成されている。
【００４２】
上記の構成部品を備える張力調節機構１００を組み立てるには、調節用ボルト６５を支持部２３の開口部２３ｃに下側から挿通して調節用ボルト６５の上端部６５ａを支持部２３の上側に突出させる。その一方で、コネクションリング９０の係合孔９３にコイルスプリング６０の下フック６０ｂを係合させることでコネクションリング９０をコイルスプリング６０の下端に連結し、さらにコネクションリング９０の貫通孔９２にスライドブッシュ７５の軸部７７を挿入する。その状態でスライドブッシュ７５の貫通孔８０に調節用ボルト６５を挿通してスライドブッシュ７５の基部７６の上面７６ｂ側に突出した調節用ボルト６５の上端部６５ａに調節用ナット７０を螺合させる。これにより、張力調節機構１００の組み立てが完了する。
【００４３】
この状態で、コイルスプリング６０の付勢力でコネクションリング９０が上方に引っ張られた状態となる。これにより、スライドブッシュ７５が上方に押し上げられて、スライドブッシュ７５の上面７６ｂが調節用ナット７０の下面７０ａに当接してこれを押圧する。したがって、調節用ナット７０が螺合している調節用ボルト６５が上方に押し上げられることで、調節用ボルト６５のピン６６が支持部２３の受け部２３ｆに当接する。これにより、調節用ボルト６５の上方への移動が規制されると共に調節用ボルト６５が支持部２３に対して当接部９７（ピン６６）を支点に揺動自在に支持された状態となる。
【００４４】
さらに、調節用ナット７０を回転させることで調節用ボルト６５に対する位置（軸方向の位置）を調整することができる。すなわち、調節用ナット７０を締め付け方向へ回転させると、調節用ナット７０及びコネクションリング９０を調節用ボルト６５の軸方向に沿って下側へ移動させることができる。一方、調節用ナット７０を緩める方向へ回転させると、調節用ナット７０及びコネクションリング９０を調節用ボルト６５の軸方向に沿って上側へ移動させることができる。
【００４５】
調節用ナット７０を回転させて接続部材９０の高さ位置（調節用ボルト６５に対する高さ位置）を調節することで、コイルスプリング６０の付勢力でフットボード５０に作用する力（操作する際の踏込の重さ）を調節することができる。
【００４６】
また、調節用ナット７０は、その突起部７１がスライドブッシュ７５の溝部８２に嵌合する位置ごとに回転方向の位置決めがなされるため、回転角度位置を９０度ごとの所定位置に設定することができる。これにより、既述のように、調節用ナット７０が所定の回転角度位置（９０度ごとの位置）にあるときに突起部７１が溝部８２に係合してその緩みが防止されることでコネクションリング９０の軸方向の位置ずれが防止される。
【００４７】
すなわち、張力調節機構１００によるコイルスプリング６０の張力調節は、コイルスプリング６０が所望の張力となるまで調節用ナット７０を回してコネクションリング９０を上昇または下降させることで行われる。この場合、コネクションリング９０を下げてコイルスプリング６０の張力を強くすると、ビータヘッド２によるドラムヘッドＨの打撃後の回動軸３５の回転速度とフットボード５０の戻り速度が速くなる。反対に、調節用ボルト６５を上げて張力を弱くすると、回動軸３５の回転速度とフットボード５０の戻り速度が遅くなる。
【００４８】
上記構成のドラム用フットペダル装置１において、フットボード５０を足で踏み込むと、連結部材５５が引き下げられるため、ロッカ３６が回動軸３５と一体に回動し、ビータヘッド２がバスドラムＢのドラムヘッドＨを打撃する。打撃後、フットボード５０から踏込力を解除すると、回動軸３５がコイルスプリング６０の張力によって打撃時とは反対方向に回動するため、ビータヘッド２およびフットボード５０は初期位置に復帰し、次の打撃操作を可能にする。
【００４９】
このとき、フットボード５０の踏込操作によって、アーム部３８が回動軸３５を中心に前後（図１の左右）に揺動する。これにより、コイルスプリング６０の上端が前後に揺動することでコイルスプリング６０が伸縮する。このとき、コイルスプリング６０の下端及びコネクションリング９０の上端も前後に揺動する。したがって、調節用ボルト６５と調節用ナット７０及びコネクションリング９０は、当接部９７を支点として支持部２３に対して一体的に揺動する。
【００５０】
本実施形態のフットペダル装置１によれば、コイルスプリング６０の張力を調節する張力調節機構１００として、当接部９７（支持部２３）の上側の位置でコイルスプリング６０の下端と接続されて該コイルスプリング６０と調節用ボルト６５（又は支持部２３）との接続位置を調整する接続位置調整部を備えることで、フットボード５０の踏込操作によってコイルスプリング６０が伸縮する際にコイルスプリング６０の揺動（回動）角度を小さく抑えることができる。したがって、コイルスプリング６０及びフットボード５０のスムーズな動きを確保することができると共に、コイルスプリング６０と調節用ボルト６５との連結部分の摺動に伴う摩擦によるエネルギーロス及び騒音の発生を効果的に抑制することができる。
【００５１】
また、コイルスプリング６０の下端に回転構造を設けた従来技術と比較して、部品点数が少なく簡単かつ安価な構成でありながら、コイルスプリング６０をスムーズかつ確実に揺動させることができるので、フットボード５０の良好な動作及び操作性を確保することが可能となる。
【００５２】
また、上記の接続位置調整部は、コイルスプリング６０の下端が接続されていると共に調節用ボルト６５に組み付けられたコネクションリング（接続部材）９０と、調節用ボルト６５におけるコネクションリング９０の上側の位置に螺合する調節用ナット７０とを備えている。
【００５３】
この構成によれば、調節用ナット７０を操作することで調節用ボルト６５に対するコネクションリング９０の組付位置を調節することができるので、簡単な作業でコイルスプリング６０と調節用ボルト６５との接続位置の調節を行うことができる。特に、フットボード５０の復帰習性の調整作業を調節用ボルト６５の支柱部材２１に対する支持位置（具体的には当接部９７あるいは支持部２３との当接位置）よりも上側の位置に配置した調節用ナット７０の操作で行えるようになるので、従来構成における支持部の下側に配置した操作用の部材を操作する場合と比較して、ドラムの演奏者によるフットボード５０の復帰習性の調整作業が非常に行い易くなる。
【００５４】
また、本実施形態のドラム用フットペダル装置１のコネクションリング９０は、調節用ボルト６５の外周に組み付けられる環状の本体部９１と、本体部９１の外側面に設けられてコイルスプリング６０の下フック６０ｂを係合させてなる係合孔（係合部）９３とを有している。したがって、部品点数を少なく抑えた簡単な構成でコイルスプリング６０と調節用ボルト６５との接続位置を所望の位置に調節することが可能な接続位置調整部を実現することができる。
【００５５】
また、本実施形態のドラム用フットペダル装置１の接続位置調整部は、調節用ボルト６５に対するコネクションリング９０の位置ずれを防止するための構成として、調節用ナット７０に設けた突起部７１と、スライドブッシュ７５に設けた溝部８２とからなる位置ずれ防止機構９５を備えている。この位置ずれ防止機構９５によって、調節用ナット７０が所定の回転位置にあるときに突起部７１が溝部８２に嵌ることで調節用ナット７０の回転が防止されることで、コネクションリング９０の位置ずれを防止するように構成している。
【００５６】
この構成によれば、部品点数を少なく抑えた簡単な構成で調節用ナット７０の回転を防止して、軸方向におけるコネクションリング９０の位置ずれを防止することができる。また、調節用ナット７０が所定の回転位置にあるときに突起部７１が溝部８２に嵌るように構成したことで、突起部７１が溝部８２に嵌る位置まで調節用ナット７０を回転させる操作を行うだけで、コネクションリング９０の位置ずれを防止することが可能となる。
【００５７】
また、本実施形態の張力調節機構１００は、調節用ボルト６５のピン６６が支持部２３の受け部２３ｆに当接する当接部９７を備え、アーム部３８の揺動によるコイルスプリング６０の伸縮に伴い調節用ボルト６５が当接部９７を支点としてフットボード５０の前後方向に揺動するように構成している。
【００５８】
この構成によれば、フットボード５０の踏込操作によってコイルスプリング６０が伸縮する際に当接部９７を支点としてコイルスプリング６０と調節用ボルト６５とが当接部９７に対して一体的に揺動するようになる。これにより、コイルスプリング６０の伸縮に伴う部材の摺動が効果的に低減される。したがって、部材の磨耗を抑制することができると共に、フットボード５０やコイルスプリング６０の良好な動作を確保できる。また、フットボード５０の踏込操作に伴うきしみ音など雑音の発生を効果的に防止することができる。
【００５９】
〔第２実施形態〕
次に、本発明の第２実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項、及び図示する以外の事項については、第１実施形態と同じである。この点は、以下で説明する他の実施形態においても同様である。
【００６０】
図９は、本発明の第２実施形態にかかるドラム用フットペダル装置が備える張力調節機構１００−２を示す部分拡大図、図１０は、その構成部品を示す分解側断面図である。本実施形態の張力調節機構１００−２は、第１実施形態の張力調節機構１００の構成に加えて、コネクションリング９０の位置ずれを防止する位置ずれ防止機構として、調節用ボルト６５の軸方向においてコネクションリング９０に対して調節用ナット７０と反対側に設けた保持ナット８５を備えている。そして、コネクションリング９０を調節用ナット７０と保持ナット８５とで挟持することでコネクションリング９０の位置ずれを防止するように構成している。詳細には、調節用ナット７０がスライドブッシュ７５の基部７６に当接しており、保持ナット８５がスライドブッシュ７５の下端部７８に当接している。これにより、コネクションリング９０の貫通孔９２に挿入されたスライドブッシュ７５を介して調節用ナット７０と保持ナット８５との間にコネクションリング９０が挟持されている。
【００６１】
なお、本実施形態の張力調節機構１００−２では、第１実施形態の張力調節機構１００が備える調節用ナット７０の突起７１とスライドブッシュ７５の溝部８２とからなる位置ずれ防止機構９５は設けていない。
【００６２】
保持ナット８５は、薄型の略円柱状の部材でその軸心に調節用ボルト６５を螺合させる貫通孔からなるネジ孔８５ｄが形成されている。また、保持ナット８５の外周面には、該保持ナット８５を手で回すときの滑りを防止するための凹凸からなる操作部８５ｆが形成されている。
【００６３】
本実施形態の張力調節機構１００−２では、コイルスプリング６０の張力調節は、保持ナット８５を緩めた状態で、コイルスプリング６０が所望の張力となるまで調節用ナット７０を回してコネクションリング９０を上昇または下降させる。そして、コイルスプリング６０の張力が決まったら保持ナット８５を締め付けて調節用ナット７０と保持ナット８５でコネクションリング９０を挟持することで、コネクションリング９０を位置決め（固定）する。
【００６４】
本実施形態の張力調節機構１００−２によれば、コネクションリング９０が調節用ナット７０と保持ナット８５で挟持されるように構成したことで、簡単な構成でありながらコネクションリング９０の位置ずれをより確実に防止することができる。また、コイルスプリング６０とコネクションリング９０との係合位置（接続位置）よりも上側に位置する調整用ナット７０でコイルスプリング６０の張力を調整できるので、張力調整の操作が行いやすい。
【００６５】
また、本実施形態の張力調節機構１００−２では、支持部２３の受け部２３ｆに当接するピン６６を下側から押えて支持する押え板（押え部材）２４が設けられている。押え板２４は、支持部２３の両側の内側面に形成したスリット２３ｈに差し込まれて取り付けられている。これにより、支持部２３の受け部２３ｆに当接するピン６６が下側に移動しないように押えて支持することができるので、調節用ナット７０及びコネクションリング９０を調節用ボルト６５から取り外した状態で、調節用ボルト６５が落下することを防止できる。したがって、張力調節機構１００−２の組立性及びメンテナンス性が向上する。また、当接部９７を支点とする調節用ボルト６５の揺動を安定させることができる。
【００６６】
〔第３実施形態〕
次に、本発明の第３実施形態について説明する。図１１は、本発明の第３実施形態にかかるドラム用フットペダル装置が備える張力調節機構１００−３を示す部分拡大図、図１２は、その構成部品を示す分解側断面図である。第１実施形態の張力調節機構１００は、調節用ボルト６５に対して軸方向にスライド移動自在に組み付けられたスライドブッシュ７５を備えると共に、調節用ナット７０が調節用ボルト６５に螺合する構成であったのに対して、本実施形態の張力調節機構１００−３は、スライドブッシュ７５に代えて調節用ボルト６５−３に螺合するブッシュ部材７５−３を備えると共に、調節用ナット７０−３がこのブッシュ部材７５−３に螺合する構成である。
【００６７】
すなわち、本実施形態のブッシュ部材７５−３は、貫通穴８０−３の内周面に調節用ボルト６５に螺合するネジ部（ネジ山及びネジ溝）８０−３ａが形成されている。また、軸部７７−３における先端部７８−３から基部７６−３に向かう外周面の一部には、ブッシュ部材７５−３に螺合するネジ部（ネジ溝及びネジ山）７７−３ａが形成されている。そして、このブッシュ部材７５−３は、コネクションリング９０の貫通孔９２に対して軸部７７−３を下側から挿入するようなっており、軸部７７−３を貫通孔９２に挿通させた状態でコネクションリング９０の下端面９０ｂにブッシュ部材７５−３の基部７６−３が当接し、コネクションリング９０の上端面９０ａから軸部７７−３の先端側の部分（ネジ部７７−３ａが形成された部分）が突出するようになっている。その状態で、コネクションリング９０の上端面９０ａから突出する軸部７７−３のネジ部７７−３ａに調節用ナット７０−３を螺合させることで、調節用ナット７０−３の下面７０−３ａとブッシュ部材７５−３の基部７６−３との間にコネクションリング９０を挟持するように構成している。
【００６８】
本実施形態の張力調節機構１００−３では、調節用ナット７０−３を緩めた状態で、調節用ボルト６５−３に螺合しているブッシュ部材７５−３を回転させることで調節用ボルト６５−３に対するブッシュ部材７５−３の位置（軸方向の位置）を調節する。これにより、ブッシュ部材７５−３の軸部７７−３に取り付けたコネクションリング９０の位置を調節することができる。ブッシュ部材７５−３の位置決めが完了したら調節用ナット７０−３を締め付けてブッシュ部材７５−３にコネクションリング９０を固定する。
【００６９】
また、第１実施形態の張力調節機構１００は、調節用ボルト６５の支点部７９ａが支持部２３の受け部２３ｆに当接する当接部９７を備えていたのに対して、本実施形態の張力調節機構１００−３は、この当接部９７に代えて、調節用ボルト６５−３の下端部の近傍が支持部２３−３に軸支された構成を備えている。すなわち、本実施形態の支持部２３−３は、支柱部材２１の側面にネジ２９で取り付けたブラケット２３ｋと、ブラケット２３ｋと支柱部材２１の側面との間に掛け渡した軸部材２８とを備え、軸部材２８が調節用ボルト６５−３に設けた貫通孔６７を貫通していることで調節用ボルト６５−３が軸部材２８を支点に揺動可能に軸支されている。
【００７０】
したがって、本実施形態の張力調節機構１００−３では、アーム部３８の揺動によるコイルスプリング６０の伸縮に伴い、調節用ボルト６５−３が軸部材２８を支点としてフットボード５０の前後方向に揺動するようになっている。また、コイルスプリング６０とコネクションリング９０との係合位置（接続位置）よりも上側に配置した調整用ナット７０−３でコイルスプリング６０の張力を調整できるので、張力調整の操作が行いやすい。
【００７１】
〔第４実施形態〕
次に、本発明の第４実施形態について説明する。図１３は、本発明の第４実施形態にかかる張力調節機構１００−４を示す図で、同図（ａ）は、張力調節機構１００−４の側面図、同図（ｂ）は、（ａ）のＣ矢視を示す図（一部断面図）である。なお、図示の都合上、図１３（ｂ）では、コイルスプリング６０の全体を点線で示している。第１実施形態の張力調節機構１００は、調節用ボルト６５の支点部７９ａが支持部２３の受け部２３ｆに当接する当接部９７を備えていたのに対して、本実施形態の張力調節機構１００−３は、この当接部９７に代えて、長手方向の途中位置が９０度屈曲してなる構成の調節用ボルト６５−４を備え、該調節用ボルト６５−４の後述する先端部６５−４ｂが支柱部材２１の貫通孔２１ｃに対して直接的に軸支された構成を備えている。すなわち、本実施形態の調節用ボルト６５−４は、屈曲部６５−４ｃと該屈曲部６５−４ｃよりも上側（根元側）の本体部６５−４ａと屈曲部６５−４ｃの先で側方（支柱部材２１側）に向かって延びる先端部６５−４ｂとを備え、全体が略Ｌ字型に形成されている。一方、支柱部材２１の側面には、調節用ボルト６５−４の先端部６５−４ｂを挿通させる貫通孔２１ｃが設けられている。そして、調節用ボルト６５−４の先端部６５−４ｂは支柱部材２１の貫通孔２１ｃにベアリング２１ｄを介して回転自在に支持されている。調節用ボルト６５−４の先端部６５−４ｂにおける支柱部材２１の貫通孔２１ｃから突出した部分には抜け止め用のナット２１ｆが取り付けられており、これにより、先端部６５−４ｂが貫通孔２１ｃから抜けないようになっている。したがって、調節用ボルト６５−４の先端部６５−４ｂと支柱部材２１の貫通孔２１ｃとによって構成される支点部９７−４を支点として、調節用ボルト６５−４が揺動（回動）自在に支持されている。
【００７２】
したがって、本実施形態の張力調節機構１００−４でも、コイルスプリング６０とコネクションリング９０との係合位置（接続位置）よりも上側に配置した調整用ナット７０によって張力を調整できるので、張力調整の操作が行いやすい。また、アーム部３８の揺動によるコイルスプリング６０の伸縮に伴い、調節用ボルト６５−４が支点部９７−４を支点としてフットボード５０の前後方向（長手方向）に揺動するようになっている。
【００７３】
以上、本発明の実施形態を説明したが、本発明は、上記実施形態に限定されるものではなく、特許請求の範囲、及び明細書と図面に記載された技術的思想の範囲内において種々の変形が可能である。例えば、上記第１実施形態では、本発明にかかる支点部の実施態様として、調節用ボルト６５に設けた突起状の支点部７９ａと支持部２３に設けた湾曲面状の受け部２３ｆとを備えた構成を示したが、本発明にかかる支点部としては、これ以外にも、支持部に突起状の支点部を設け、調節用ボルトに受け部を設けることも可能である。また、受け部の具体的な形状は湾曲面状には限らず、平面状など他の形状であってもよい。
【００７４】
また、上記の実施形態では、いずれも調節用ボルトが支柱部材に対して搖動する構成として説明したが、これに限定されるものではなく、調節用ボルトは支柱部材に対して固定されたもの（変位しないもの）であってもよい。例えば、第４実施形態においてＬ字型のボルトが支柱部材に対して、ベアリング２１で搖動（回動）できるように構成したが、このＬ字型のボルトを支柱部材に直接螺合する形で固定し、その固定されたボルトに対して、コネクションリングと調整用ナットを取り付けて、コネクションリングの位置で張力を調整するようにしてもよい。
【００７５】
また、本発明にかかる位置ずれ防止機構として、調節用ナット７０の下面（端面）７０ａに突起部７１を設け、スライドブッシュ７５の上面（端面）７６ｂに溝部８２を設けた構成を示したが、これとは逆に、調節用ナット７０の下面に溝部を設けスライドブッシュ７５の上面に突起部を設けた構成を採用することも可能である。
【００７６】
さらに、本発明の実施形態では、調節用ボルトと調節用ナットでコネクションリングの位置を調整するようにしたが、ボルトとナットの構成に限らず、ネジが切っていない棒状部材を支柱部材に対して搖動自在に支持し、その棒状部材に対してコネクションリングの上側に着脱自在なピンを係合させて、コネクションリングの位置を規制するような構成にしてもよい。その際、ピンを係合させる孔は、搖動支点側から異なる距離で複数箇所に設けておき、その中から選択したいずれかの孔にピンを係合させることで、コネクションリングの位置を所望の位置とすることができる。
【符号の説明】
【００７７】
１…ドラム用フットペダル装置，２…ビータヘッド，３…ビータロッド，１０…フレーム部，２０…基部，２０ａ…前端部，２１，２２…支柱部材，２３…支持部，２３ｂ…下面，２３ｃ…開口部，２３ｄ…凹部，２３ｆ…受け部，２３ｈ…スリット，２３ｋ…ブラケット，２４…押え板，２５…ベース部材，２６…クランプ金具，２７…フープ固定ねじ，２８…軸部材，２９…ネジ，３０…ヒール部材，３０ａ…回転軸，３５…回動軸，３６…ロッカ，３６ａ…通孔，３７…ボルト，３８…アーム部材，４１，４２…軸受，５０…フットボード，５０ａ…前端部，５０ｂ…後端部，５５…連結部材，６０…コイルスプリング，６０ａ…上フック，６０ｂ…下フック，６５…調節用ボルト，６５ａ…上端部，６６…ピン，６７…貫通孔，７０…調節用ナット，７０ａ…下面，７０ｄ…ネジ孔，７０ｅ…括れ部，７０ｆ…操作部，７１（７１ａ）…突起部，７５…スライドブッシュ，７６…基部，７６ｂ…下面，７７…ネジ部，７８…下端部，７９ａ…支点部，８０…貫通孔，８１…スリット部，８２（８２ａ）…溝部，８５…保持ナット，８５ｄ…ネジ孔，８５ｆ…操作部，８６…基部，９０…コネクションリング（接続部材），９１…本体部，９２…貫通孔，９３…係合孔，９４…フランジ部，９５…位置ずれ防止機構，９７…当接部（支点部），１００…張力調節機構
【図１】
0006610374.tif 000002
【図２】
0006610374.tif 000003
【図３】
0006610374.tif 000004
【図４】
0006610374.tif 000005
【図５】
0006610374.tif 000006
【図６】
0006610374.tif 000007
【図７】
0006610374.tif 000008
【図８】
0006610374.tif 000009
【図９】
0006610374.tif 000010
【図１０】
0006610374.tif 000011
【図１１】
0006610374.tif 000012
【図１２】
0006610374.tif 000013
【図１３】
0006610374.tif 000014